(57)【要約】【課題】ロッカーが一方通行の動線をとる利用者に供されるとき、同一の利用者が内容物を両面から出し入れ可能であるロッカー、及びそれを用いた清潔かつ安全な入浴施設の構造を提供する。【解決手段】ロッカー１は、ロッカー本体１０と、ロッカー本体１０の第１面に設けられた第１扉１１と、ロッカー本体１０の第１面に対向する第２面に設けられた第２扉１２と、を備え、ロッカー本体１０が一方通行の動線をとる利用者に供されるとき、同一の利用者が内容物を第１扉１１及び第２扉１２から安全に出し入れ可能であるように、第２扉１２が自動ロック機構１２１又は常時ロック機構１２１’を有することを特徴とする。【選択図】図１
0003202178.tif 000002
【実用新案登録請求の範囲】
【請求項１】
ロッカーであって、
ロッカー本体と、
前記ロッカー本体の第１面に設けられた第１扉と、
前記ロッカー本体の前記第１面に対向する第２面に設けられた第２扉と、を備え、
前記ロッカー本体が一方通行の動線をとる利用者に供されるとき、同一の利用者が内容物を前記第１扉及び前記第２扉から安全に出し入れ可能であるように、前記第２扉が自動ロック機構又は常時ロック機構を有することを特徴とするロッカー。
【請求項２】
前記第１扉及び前記第２扉が９０度以下の開角度を有することを特徴とする請求項１に記載のロッカー。
【請求項３】
入浴施設の構造であって、
脱衣場と、
前記脱衣場とは分離された着衣場と、
複数のロッカーから構成されたロッカー集合体と、を備え、
各ロッカーが、
ロッカー本体と、
前記ロッカー本体の第１面に設けられた第１扉と、
前記ロッカー本体の前記第１面に対向する第２面に設けられた第２扉と、を備え、
前記ロッカー集合体が一方通行の動線をとる利用者に供されるとき、同一の利用者が内容物を安全に出し入れ可能であるように、前記第２扉が自動ロック機構又は常時ロック機構を有し、
前記第１扉が前記脱衣場に、前記第２扉が前記着衣場にそれぞれ面することを特徴とする入浴施設の構造。
【請求項４】
前記脱衣場が第１脱衣場と第２脱衣場を含み、
前記ロッカー集合体が第１ロッカー集合体と第２ロッカー集合体を含み、
前記第１ロッカー集合体と前記第２ロッカー集合体が前記着衣場を挟んで配置され、
前記第１ロッカー集合体の前記第１扉が前記第１脱衣場に、前記第２ロッカー集合体の前記第１扉が前記第２脱衣場に、前記第１ロッカー集合体及び前記第２ロッカー集合体の前記第２扉が前記着衣場に、それぞれ面することを特徴とする請求項３に記載の入浴施設の構造。
【請求項５】
前記第１扉及び前記第２扉が９０度以下の開角度を有することを特徴とする請求項３又は４に記載の入浴施設の構造。
【請求項６】
さらに、前記脱衣場と浴場の境界に設けられ、前記ロッカー本体と同一の利用者が使用するバスタオルを同一の鍵で保管するバスタオルボックスを備え、
前記バスタオルボックスが、
前記脱衣場の側に設けられた第１ボックス扉と、
前記浴場の側に設けられ、自動ロック機構又は常時ロック機構を有する第２ボックス扉と、を備えることを特徴とする請求項３から５のいずれか１項に記載の入浴施設の構造。
【考案の詳細な説明】
【技術分野】
【０００１】
本考案は、ロッカー及びそれを用いた入浴施設の構造に関する。
【背景技術】
【０００２】
従来より、日本人は、身体を清潔に保つとともに、健康増進、精神的リラックスなど、さまざま観点から入浴を楽しむ習慣がある。各家庭に持ち風呂が普及した現代にあっても、公衆浴場やスーパー銭湯、ホテルや旅館等の大浴場、さらにはスポーツジムに併設された大浴場などは、多くの利用者で賑わっている。このように多くの不特定多数の利用者が入浴する公衆浴場等では、清潔かつ安全に入浴できるようにする必要がある。
【０００３】
ところで、２０２０年の東京オリンピック期間中には、世界各地から多くの、そして様々な生活習慣をもつ外国人が日本を訪れることとなる。このような機会に、日本の生活習慣を経験しようとして、日本の衣食住にトライする外国人は大変な数にのぼると思われるが、公衆浴場等に入ることに関心が向くことも想像に難くない。多くの生活習慣の異なる利用者が利用する場合、清潔かつ安全に入浴できるようにすることは、一層重要となる。
【０００４】
入浴施設は、更衣室スペース、浴場スペース、休憩スペースなどに大きく区分され、それぞれに清潔かつ安全に保つ必要がある。この点、従来、脱衣場と着衣場を兼ねた更衣室が一般的であり、入浴前の利用者と入浴後の利用者が混在する態様になっており、必ずしも清潔とはいえないという問題があった。
【０００５】
そこで、本考案は、後述するように、更衣室スペースを脱衣場と着衣場に区分し、入浴前後の利用者を混在させないようにしようとするものであるが、脱衣場と着衣場が異なる場合にも、同一の利用者が自身の衣服にアクセスできるロッカーが求められる。従来、前面と後面の両面に扉を設けたロッカーが開示されている（例えば、特許文献１参照）が、これは、中に仕切りが存在し、前面と後面から、別々の利用者が利用する態様であり、本考案に用いることはできないという問題があった。
【先行技術文献】
【特許文献】
【０００６】
【特許文献１】実開平６−６２８３８号公報
【考案の概要】
【考案が解決しようとする課題】
【０００７】
本考案は、このような事情に鑑み、ロッカーが一方通行の動線をとる利用者に供されるとき、同一の利用者が内容物を両面から出し入れ可能であるロッカー、及びそれを用いた清潔かつ安全な入浴施設の構造を提供することを目的とする。
【課題を解決するための手段】
【０００８】
本考案は、以下の構成によって把握される。
（１）本考案に係る第１の観点は、ロッカーであって、ロッカー本体と、前記ロッカー本体の第１面に設けられた第１扉と、前記ロッカー本体の前記第１面に対向する第２面に設けられた第２扉と、を備え、前記ロッカー本体が一方通行の動線をとる利用者に供されるとき、同一の利用者が内容物を前記第１扉及び前記第２扉から安全に出し入れ可能であるように、前記第２扉が自動ロック機構又は常時ロック機構を有することを特徴とする。
【０００９】
（２）上記（１）において、前記第１扉及び前記第２扉は、９０度以下の開角度を有してもよい。
【００１０】
（３）本考案に係る第２の観点は、入浴施設の構造であって、脱衣場と、前記脱衣場とは分離された着衣場と、複数のロッカーから構成されたロッカー集合体と、を備え、各ロッカーが、ロッカー本体と、前記ロッカー本体の第１面に設けられた第１扉と、前記ロッカー本体の前記第１面に対向する第２面に設けられた第２扉と、を備え、前記ロッカー集合体が一方通行の動線をとる利用者に供されるとき、同一の利用者が内容物を安全に出し入れ可能であるように、前記第２扉が自動ロック機構又は常時ロック機構を有し、前記第１扉が前記脱衣場に、前記第２扉が前記着衣場にそれぞれ面することを特徴とする。
【００１１】
（４）上記（３）において、前記脱衣場が第１脱衣場と第２脱衣場を含み、前記ロッカー集合体が第１ロッカー集合体と第２ロッカー集合体を含み、前記第１ロッカー集合体と前記第２ロッカー集合体が前記着衣場を挟んで配置され、前記第１ロッカー集合体の前記第１扉が前記第１脱衣場に、前記第２ロッカー集合体の前記第１扉が前記第２脱衣場に、前記第１ロッカー集合体及び前記第２ロッカー集合体の前記第２扉が前記着衣場に、それぞれ面する。
【００１２】
（５）上記（３）又は（４）において、前記第１扉及び前記第２扉は、９０度以下の開角度を有してもよい。
【００１３】
（６）上記（３）から（５）のいずれか１つにおいて、さらに、前記脱衣場と浴場の境界に設けられ、前記ロッカー本体と同一の利用者が使用するバスタオルを同一の鍵で保管するバスタオルボックスを備え、前記バスタオルボックスが、前記脱衣場の側に設けられた第１ボックス扉と、前記浴場の側に設けられ、自動ロック機構又は常時ロック機構を有する第２ボックス扉と、を備えてもよい。
【考案の効果】
【００１４】
本考案によれば、ロッカーが一方通行の動線をとる利用者に供されるとき、同一の利用者が内容物を両面から出し入れ可能であるロッカー、及びそれを用いた清潔かつ安全な入浴施設の構造を提供することができる。
【図面の簡単な説明】
【００１５】
【図１】本考案の第１実施形態に係るロッカーを示す斜視図である。
【図２】同じく、一方側の扉を自動ロック又は常時ロックした場合を示す斜視図である。
【図３】同じく、ロッカーの内部を示す図である。
【図４】本考案の第２実施形態に係る入浴施設を示す平面図である。
【図５】同じく、入浴施設の変形例を示す図である。
【考案を実施するための形態】
【００１６】
以下、本考案を実施するための形態（以下、「実施形態」という）を、添付図面に基づいて詳細に説明する。なお、実施形態の説明の全体を通して同じ要素には同じ番号を付している。
【００１７】
＜第１実施形態＞
本考案の第１実施形態に係るロッカー１の構造について、図１から図３を用いて説明する。図１は、ロッカー１が上下２段、左右２列に構成された例を示しているが、もちろんこれに限られるものではない。上下に細長い１段としたり、３段以上としたりとしても差し支えないし、左右に単列であっても構わないし、３列以上としても構わない。要するに、ロッカー１は、扉のついた１つの収納スペースを指している。
【００１８】
ロッカー１は、ロッカー本体１０と、その第１面に設けられた第１扉１１と、第１面に対向する第２面に設けられた第２扉１２とを有している。図１に示されたロッカー本体１０の側面を縦断する破線は間仕切りＰの存在を示している。これは、ロッカー１が、利用者がこの間仕切りＰを横切って移動できない状況下で使用されることを示している。すなわち、利用者は、間仕切りＰを横切らないで一方通行の動線をとるように求められており、ロッカー１は、そのような利用者に供される。第１扉１１からロッカー本体１０に収納した内容物は、反対側の第２扉１２から取り出される。利用者は、第１扉１１と第２扉１２を任意に選択して内容物を出し入れすることはない。
【００１９】
利用者は、第１扉１１から内容物をロッカー本体１０の中に収納した後、自身が有する鍵をもって第１扉１１を閉鎖してそのロック機構１１１を施錠する。これに対し、第２扉１２は、図２に示すように、第三者が内容物を取り出してしまわないように、扉の閉鎖とともに施錠される自動ロック機構１２１、又は利用者が扉を閉鎖した後に施錠しないと鍵が抜き取れない常時ロック機構１２１’が設けられている。このようにすると、初期時点で、第２扉１２の自動ロック機構１２１又は常時ロック機構１２１’が施錠されていれば、利用者Ａは安全に内容物を第１扉１１から収納することができる。そして、第２扉１２の自動ロック機構１２１又は常時ロック機構１２１’を開錠して内容物を取り出した後は、自動ロック機構１２１の場合は第２扉１２を閉鎖することにより自動的にあらためて施錠され、常時ロック機構１２１’の場合は第２扉１２を閉鎖した後に施錠して鍵を抜き取れば確実に施錠の状態となり、次の利用者Ｂは、安全に同じロッカー１を利用することができる。
【００２０】
なお、自動ロック機構１２１としては、公知のものを採用することができる。例えば、機械式のものや電気式のものでもよい。開扉は、当該ロッカー１の利用者が有する鍵によって行ってもよいし、暗証番号を利用者が入力することによって行ってもよい。さらには、ロッカー１が設置されている場所の設備によっては、利用者が装着したリストバンドなどに埋め込んだＩＣチップに反応する非接触式のもので行ってもよい。常時ロック機構１２１’としても、公知のものを採用することができる。常時ロック機構１２１’では、扉を閉鎖しても開錠の状態では鍵を抜き取ることはできないため、事実上、自動ロック機構１２１と同様の機能を果すこととなる一方で、構造の簡便性や相対的に安価であるというメリットがある。
【００２１】
このように、同一の利用者が自身の内容物を第１扉１１からロッカー本体１０に内容物を収納し、反対側の第２扉１２から内容物を取り出すという状況は、例えば、第２実施形態として後述するように、脱衣場と着衣場が分離された入浴施設において典型的に現出する。その他には、例えば、駅構内外の境界に設置されたようなコインロッカーがあれば、駅構外側の第１扉１１から内容物を収納しておき、一定の時間経過後に駅構内側の第２扉１２から内容物を、駅構内外を往来しなくても、取り出すことが可能となる。
【００２２】
ロッカー本体１０の構造としては、第１扉１１及び第２扉１２ともに、図１に示すように、９０度以下の開角度を有するようにしておくことが好ましい。隣接するロッカー本体１０の利用者の便宜を考慮したものであり、利用者間でのトラブルを避けることができる。また、収納する内容物として衣服が想定される場合には、ロッカー本体１０の内部に、図３に示すように、衣服を吊るすハンガー掛け１０ａや、上履き用スリッパの収納スペースとしてスリッパ入れ１０ｂなどを設けてもよい。
【００２３】
＜第２実施形態＞
次に、第２実施形態として、ロッカー１を入浴施設２０に適用した場合について説明する。ここで、入浴施設２０とは、銭湯、スーパー銭湯、温泉、ホテルや旅館の浴場、スポーツジムやフィットネスクラブの浴場などを含む広い概念である。このような入浴施設２０では、不特定多数の利用者が入浴することから、ロッカー１に収納した貴重品の盗難防止、利用者の入浴前後の区分などによる清潔さの維持が大変重要である。
【００２４】
図４を参照して、第２実施形態について説明する。入浴施設２０は、更衣室２１と、浴場２２とを備えている。そして、更衣室２１は、図中上方の脱衣場２１１と、下方の着衣場２１２とに分離されている。脱衣場２１１と着衣場２１２との間には、複数のロッカー１を含むロッカー集合体１００が配置され、更衣室２１の内壁とロッカー集合体１００との間には、間仕切りＰが設けられている。利用者は、図中左上の更衣室入口２１ａから脱衣場２１１に入場し、脱衣してロッカー集合体１００のうちの所定のロッカー１の中に衣服を第１扉１１から収納した後、右方の浴場入口２２ａから浴場２２へ入る。浴場２２を浴場出口２２ｂから出た利用者は、着衣場２１２に戻り、ロッカー１の中の衣服を第２扉１２から取り出して着衣し、更衣室出口２１ｂから着衣場２１２を退場する。なお、図中、白矢印は、利用者の動線を示している。
【００２５】
なお、更衣室入口２１ａの手前近傍には、受付カウンター２０ａ、貸しタオル等置き場２０ｂなどが適宜設けられている。脱衣場２１１の内部には、お手洗い２１１ａが設けられている。
【００２６】
このように、第２実施形態では、利用者は一方通行の動線を辿ることとなり、入浴前後の利用者が更衣室２１で混在することはない。このような仕組みに沿って安全、清潔に入浴を楽しめるようにするため、入浴施設２０内外での利用者への案内はかかせないが、一方通行の動線を確保するため、更衣室入口２１ａ、浴場入口２２ａ、浴場出口２２ｂ、更衣室出口２１ｂにセンサを有する自動ドアを設けて、逆方向に利用者が流れないようにセットしてもよい。もちろん、その場合、緊急時には逆方向の移動を許容するなどの配慮を行う。
【００２７】
いずれにしても、平常時には、脱衣場２１１と着衣場２１２とが分離されるので、入浴後の利用者が専用的に次のような機器類を使用でき、清潔さを一層向上することができる。例えば、湯上りの水切りマット２１２ａ、足温風器２１２ｂ、足殺菌器２１２ｃなどを、入浴前すなわち洗浄前の利用者が使用することはない。
【００２８】
着衣場２１２には、ロッカー集合体１００の前に着替えの目隠しとしてパーティション２１２ｄが設けられており、パーティション２１２ｄの反対側には、入浴後の利用者が身だしなみを整えるためのカウンター２１２ｅが設けられている。カウンター２１２ｅの正面にはミラー２１２ｆが配置され、カウンター２１２ｅ上にはドライヤー、化粧品、ヘアブラシなどが整備されている。カウンター２１２ｅの横には、洗面台２１２ｇが設けられている。
【００２９】
上記に加えて、第２実施形態には、さらに、脱衣場２１１と浴場２２の境界に、より具体的には、脱衣場２１１から浴場２２に入る浴場入口２２ａの脱衣場２１１側に、ロッカー本体１０と同一の利用者が使用するバスタオルを同一の鍵で保管するバスタオルボックス３００を備えてもよい。バスタオルボックス３００は、ロッカー本体１０と同様に、脱衣場２１１の側に設けられた第１ボックス扉３１と、浴場２２の側に設けられ、自動ロック機構１２１又は常時ロック機構１２１’を有する第２ボックス扉３２と、を有している。こうすることにより、利用者は、浴場２２に入る前に、自身のバスタオルを自身の専用のバスタオルボックス３００に保管してから浴場２２に入り、浴場２２からあがるときには着衣場２１２に入る前に自身のバスタオルを取り出すことができる。そうすると、自身のロッカー本体１０に至る前に身体に着いた水分を拭き取ることができ、着衣場２１２の床を濡らさなくても済む。
【００３０】
＜変形例＞
図５に示す第２実施形態の変形例は、規模の大きな入浴施設２０に対し、ロッカー集合体１００を２本設けた場合を示している。ここでは、ロッカー集合体１００が２本の場合を示しているがその数に限定はない。２本の場合、中央の着衣場２１２を挟んで、第１脱衣場２１１１と第２脱衣場２１１２を設けることができる。これに応じて、更衣室入口２１ａ及び浴場入口２２ａが２つとなり、カウンター２１２ｅが着衣場２１２の中央に位置し、その両側が利用可能なように構成されている。なお、着衣場２１２、第１脱衣場２１１１及び第２脱衣場２１１２には、第２実施形態と同様の設備が設けられているが、説明は省略する。
【００３１】
変形例では、第１ロッカー集合体１０１の第１扉１１が第１脱衣場２１１１側に、第１ロッカー集合体１０１の第２扉１２が着衣場２１２側に、第２ロッカー集合体１０２の第１扉１１が第２脱衣場２１１２側に、第２ロッカー集合体１０２の第２扉１２が着衣場２１２側に、それぞれ面することとなる。これにより、より多くの利用者が入浴施設２０を利用することができる。
【００３２】
変形例においても、前述したバスタオルボックス３００をさらに配置してももちろんよい。変形例においては、第１脱衣場２１１１と浴場２２の境に第１バスタオルボックス３０１を、第２脱衣場２１１２と浴場２２との境に第２バスタオルボックス３０２を、配置することとなる。第１バスタオルボックス３０１及び第２バスタオルボックス３０２は、前述したバスタオルボックス３００と同様に、第１脱衣場２１１１又は第２脱衣場２１１２の側に設けられた第１ボックス扉３１と、浴場２２の側に設けられ、自動ロック機構１２１又は常時ロック機構１２１’を有する第２ボックス扉３２と、を備えている。こうすることにより、いずれの脱衣場を利用する利用者であっても、浴場２２に入る前に、自身のバスタオルを自身の専用の第１バスタオルボックス３０１又は第２バスタオルボックス３０２に保管してから浴場２２に入り、浴場２２からあがるときには着衣場２１２に入る前に自身のバスタオルを取り出すことができる。そうすると、自身のロッカー本体１０に至る前に身体に着いた水分を拭き取ることができ、着衣場２１２の床を濡らさなくても済む。
【００３３】
以上、実施形態を用いて本考案を説明したが、本考案の技術的範囲は上記実施形態に記載の範囲には限定されないことは言うまでもない。上記実施形態に、多様な変更又は改良を加えることが可能であることが当業者に明らかである。またその様な変更又は改良を加えた形態も本考案の技術的範囲に含まれ得ることが、実用新案登録請求の範囲の記載から明らかである。
【符号の説明】
【００３４】
１…ロッカー
１０…ロッカー本体
１０ａ…ハンガー掛け
１０ｂ…スリッパ入れ
１００…ロッカー集合体
１０１…第１ロッカー集合体
１０２…第２ロッカー集合体
１１…第１扉
１１１…ロック機構
１２…第２扉
１２１…自動ロック機構
１２１’…常時ロック機構
２０…入浴施設
２０ａ…受付カウンター
２０ｂ…貸しタオル等置き場
２１…更衣室
２１ａ…更衣室入口
２１ｂ…更衣室出口
２１１…脱衣場
２１１１…第１脱衣場
２１１２…第２脱衣場
２１１ａ…お手洗い
２１２…着衣場
２１２ａ…水切りマット
２１２ｂ…足温風器
２１２ｃ…足殺菌器
２１２ｄ…パーティション
２１２ｅ…カウンター
２１２ｆ…ミラー
２１２ｇ…洗面台
２２…浴場
２２ａ…浴場入口
２２ｂ…浴場出口
３００…バスタオルボックス
３１…第１ボックス扉
３２…第２ボックス扉
３０１…第１バスタオルボックス
３０２…第２バスタオルボックス
【図１】
0003202178.tif 000003
【図２】
0003202178.tif 000004
【図３】
0003202178.tif 000005
【図４】
0003202178.tif 000006
【図５】
0003202178.tif 000007